(57)【特許請求の範囲】
【請求項１】
空気と熱源流体との間で熱交換して空気を加熱する加熱用熱交換器（１５）が空調ケース（１１）内に回転軸（１６）を中心として回転可能に配置され、
前記加熱用熱交換器（１５）が最大暖房位置に回転したときに前記加熱用熱交換器（１５）の周縁部が接触するシール面（２０）が前記空調ケース（１１）の内部に形成され、
前記シール面（２０）の中央部には空気の通過可能な開口部（２０ａ）が形成され、
前記空調ケース（１１）内で前記加熱用熱交換器（１５）の風上側で、かつ、前記回転軸（１６）の軸方向の左右両側部位にガイド手段（２５）が配置され、
前記ガイド手段（２５）は、空気が前記シール面（２０）を避けて流れるように空気を前記開口部（２０ａ）に向かってガイドするように構成されていることを特徴とする空調装置。
【請求項２】
前記ガイド手段は、前記加熱用熱交換器（１５）の回転作動領域よりも風上側に位置する風上側空気通路（１８）のうち、少なくとも前記シール面（２０）に近接する部位に形成されることを特徴とする請求項１に記載の空調装置。
【請求項３】
前記ガイド手段は、前記加熱用熱交換器（１５）の風上側通路面積を絞る通路絞り部（２５）で構成されることを特徴とする請求項１または２に記載の空調装置。
【請求項４】
前記通路絞り部（２５）は、空気流れの上流側から下流側に向かって通路絞り量をテーパ状に増加するように形成されることを特徴とする請求項３に記載の空調装置。
【請求項５】
前記通路絞り部（２５）は、空気流れの上流側から下流側にわたって通路絞り量が一定量になっていることを特徴とする請求項３に記載の空調装置。
【請求項６】
前記ガイド手段（２５）は、前記加熱用熱交換器（１５）の風上側の空気流れを前記開口部（２０ａ）に向けるガイド形状部で構成されることを特徴とする請求項１または２に記載の空調装置。
【請求項７】
前記加熱用熱交換器（１５）のうち前記回転軸（１６）側の端部（１５ａ）が風下側に位置し、前記加熱用熱交換器（１５）のうち前記回転軸（１６）と反対側の端部（１５ｂ）が風上側に位置するようにして、前記加熱用熱交換器（１５）が前記空調ケース（１１）内に配置され、
前記シール面（２０）が前記加熱用熱交換器（１５）よりも風下側に配置されることを特徴とする請求項１ないし６のいずれか１つに記載の空調装置。
【請求項８】
前記加熱用熱交換器（１５）のうち前記回転軸（１６）側の端部（１５ａ）が風上側に位置し、前記加熱用熱交換器（１５）のうち前記回転軸（１６）と反対側の端部（１５ｂ）が風下側に位置するようにして、前記加熱用熱交換器（１５）が前記空調ケース（１１）内に配置され、
前記シール面（２０）が前記加熱用熱交換器（１５）よりも風上側に配置され、前記ガイド手段（２５）は前記シール面（２０）の更に風上側に配置されることを特徴とする請求項１ないし６のいずれか１つに記載の空調装置。
【請求項９】
前記シール面は、前記開口部（２０ａ）を囲むように前記空調ケース（１１）の内壁面から額縁状に突出するシールリブ（２０）にて構成されることを特徴とする請求項１ないし８のいずれか１つに記載の空調装置。
【発明の詳細な説明】
【技術分野】
【０００１】
本発明は、加熱用熱交換器を回転可能に構成する空調装置に関するもので、具体的には温水式加熱用熱交換器を回転可能に構成する車両用空調装置に用いて好適である。
【背景技術】
【０００２】
従来、車両用空調装置の温度調整方式としては、冷風と温風との風量割合をエアミックスドアにより調整して、車室内吹出空気温度を調整するエアミックスタイプが代表的である。
【０００３】
このエアミックスタイプの車両用空調装置において、温水式の加熱用熱交換器自体を回転可能に構成することにより、加熱用熱交換器にエアミックスドアの役割を兼務させるものが提案されている（例えば、特許文献１参照）。
【０００４】
これによると、エアミックスドアを廃止できるとともに、最大冷房時には加熱用熱交換器を冷風流れの通風抵抗とならない位置に回転操作して、冷風風量を増加できる利点がある。
【０００５】
具体的には、特許文献１のものでは、加熱用熱交換器の一端部に回転軸を配置し、駆動用モータの動力をギヤ結合により回転軸に伝達して、加熱用熱交換器の一端部を中心として加熱用熱交換器全体を回転駆動するようになっている。
【特許文献１】特開２００１−４７８４５号公報
【発明の開示】
【発明が解決しようとする課題】
【０００６】
ところで、本発明者らの実験、検討によると、加熱用熱交換器下流側空気の温度が、加熱用熱交換器の回転軸方向で大きくばらつき、このことが原因となって、車室内吹出空気の温度ばらつきが大きくなることが分かった。
【０００７】
この不具合を図８、図９により詳述する。なお、図８、図９は本発明者の試作品であって、公知のものではない。図８、図９は加熱用熱交換器１５を回転軸１６を中心として最大暖房位置と最大冷房位置との中間位置に回転操作した温度制御状態を示す。図８、図９において、加熱用熱交換器１５の風下側にはシールリブ２０が設けられている。このシールリブ２０は図９（ｂ）に示すようにケース１１の内壁面からケース１１内の空気通路に向かって額縁状に突出するものである。
【０００８】
最大暖房時には、この額縁状シールリブ２０に加熱用熱交換器１５の周縁部の全周が圧接する。これにより、送風空気の全量が加熱用熱交換器１５を通過して加熱され、温風となり、この温風はシールリブ２０の中央開口部２０ａを通過して下流側へ流れる。
【０００９】
一方、温度制御状態では、加熱用熱交換器１５が上記シールリブ２０から開離するので、冷却用熱交換器１３通過後の冷風の一部が図８（ｃ）、図９（ａ）の矢印ｃのように加熱用熱交換器１５をバイパスして額縁状シールリブ２０の中央開口部２０ａに流れ込む。また、冷風の残部は加熱用熱交換器１５を通過して加熱され、温風ｄとなる
ここで、加熱用熱交換器１５の風下側のうち、加熱用熱交換器１５の回転軸方向の左右両側部位では、シールリブ２０の左右両側の面に沿って冷風が図８、図９の矢印ｃ１のように加熱用熱交換器１５の回転軸１６に向かって流れる。
【００１０】
しかし、加熱用熱交換器１５の回転軸１６とシールリブ２０の左右両側の面との間は図８（ｂ）に示すように行き止まりになっているので、シールリブ２０に沿う冷風流れｃ１は行き場を失って、図９（ｂ）（ｃ）の矢印ｃ２のように加熱用熱交換器１５の回転軸方向（横方向）に方向転換する。
【００１１】
この方向転換した冷風流れｃ２は加熱用熱交換器１５のコア部の左右両側部（回転軸方向の左右両側部）に流れ込むので、加熱用熱交換器１５のコア部の左右両側部の冷風割合が中央部の冷風割合よりも大きくなる。
【００１２】
このため、加熱用熱交換器１５のコア部の吹出空気温度は、図８（ｄ）に示すように左右両側部が低くて、中央部が高いというばらつきが発生する。これが原因となって、車室内吹出空気温度のばらつきが発生し、車室内空調の快適性を損なう。
【００１３】
具体的には、加熱用熱交換器１５の回転軸１６の軸方向が図８（ａ）のように車両左右方向に向いている場合は、車両左右方向の中央部への吹出空気温度（センターフェイス吹出空気温度）が高くて、車両左右方向の左右両側部への吹出空気温度（サイドフェイス吹出空気温度）が低くなってしまう。
【００１４】
本発明は、上記点に鑑み、回転式加熱用熱交換器の回転軸方向における温度ばらつきを低減することを目的とする。
【課題を解決するための手段】
【００１５】
上記目的を達成するために、本発明では、空調ケース（１１）内に回転軸（１６）を中心として回転可能に配置される加熱用熱交換器（１５）が最大暖房位置に回転したときに、加熱用熱交換器（１５）の周縁部が接触するシール面（２０）が空調ケース（１１）の内部に形成され、
シール面（２０）の中央部には空気の通過可能な開口部（２０ａ）が形成され、
空調ケース（１１）内で加熱用熱交換器（１５）の風上側で、かつ、回転軸（１６）の軸方向の左右両側部位にガイド手段（２５）が配置され、
ガイド手段（２５）は、空気がシール面（２０）を避けて流れるように空気を開口部（２０ａ）に向かってガイドするように構成されていることを特徴としている。
【００１６】
これによると、図２（ａ）に例示するように回転軸方向の左右両側のシール面（２０）を避けて空気が流れるので、図８、図９における矢印ｃ１、ｃ２の冷風流れを消滅できる。そのため、開口部（２０ａ）における回転軸方向の左右両側の冷風割合が中央部に比較して高くなることを抑制でき、開口部（２０ａ）からの吹出空気の温度分布を均一化できる。
【００１７】
しかも、本発明によるガイド手段（２５）は加熱用熱交換器（１５）の風上側に配置されるものであって、加熱前の比体積が小さい冷風だけをガイドすればよいので、加熱用熱交換器（１５）の風下側に冷温風混合促進のためのガイド手段を設置する場合に比較して通風抵抗（圧損）の上昇を僅少量に抑制できる利点がある。
【００１８】
本発明では、具体的には、ガイド手段は、加熱用熱交換器（１５）の回転作動領域よりも風上側に位置する風上側空気通路（１８）のうち、少なくともシール面（２０）に近接する部位に形成すればよい。
【００１９】
本発明のガイド手段は、具体的には、加熱用熱交換器（１５）の風上側通路面積を絞る通路絞り部（２５）で構成すればよい。
【００２０】
そして、この通路絞り部（２５）は、具体的には空気流れの上流側から下流側に向かって通路絞り量をテーパ状に増加するように形成するのが好ましい。これによると、通路絞り部（２５）にて急曲がりを起こすことなくシール面（２０）の中央部の開口部（２０ａ）へ向かって空気流れをスムースにガイドできる。
【００２１】
なお、上記通路絞り部（２５）は、空気流れの上流側から下流側にわたって通路絞り量が一定量となるように構成してもよい。
【００２２】
また、本発明のガイド手段は、加熱用熱交換器（１５）の風上側の空気流れを開口部（２０ａ）に向けるガイド形状部で構成してもよい。
【００２３】
また、本発明では、具体的には、加熱用熱交換器（１５）のうち回転軸（１６）側の端部（１５ａ）が風下側に位置し、加熱用熱交換器（１５）のうち回転軸（１６）と反対側の端部（１５ｂ）が風上側に位置するようにして、加熱用熱交換器（１５）が空調ケース（１１）内に配置され、
シール面（２０）が加熱用熱交換器（１５）よりも風下側に配置されるようになっている。
【００２４】
また、本発明では、具体的には、加熱用熱交換器（１５）のうち回転軸（１６）側の端部（１５ａ）が風上側に位置し、加熱用熱交換器（１５）のうち回転軸（１６）と反対側の端部（１５ｂ）が風下側に位置するようにして、加熱用熱交換器（１５）が空調ケース（１１）内に配置され、
シール面（２０）が加熱用熱交換器（１５）よりも風上側に配置され、ガイド手段（２５）はシール面（２０）の更に風上側に配置されるようにしてもよい。
【００２５】
また、本発明のシール面は、具体的には、開口部（２０ａ）を囲むように空調ケース（１１）の内壁面から額縁状に突出するシールリブ（２０）にて構成される。
【００２６】
なお、上記各手段および特許請求の範囲に記載の各手段の括弧内の符号は、後述する実施形態に記載の具体的手段との対応関係を示すものである。
【発明を実施するための最良の形態】
【００２７】
（第１実施形態）
図１は第１実施形態による回転式加熱用熱交換器を備える車両用空調装置の室内空調ユニットの概略断面図で、図２は第１実施形態の要部をなす回転式加熱用熱交換器付近の構成の概略説明図であって、図２（ａ）は回転式加熱用熱交換器の風上側通路から車室内への吹出通路に至る概略断面図、図２（ｂ）は図２（ａ）のＡ−Ａ断面図、図２（ｃ）は図２（ａ）のＢ−Ｂ断面図、図２（ｄ）は図２（ｂ）のＣ−Ｃ断面位置における温度分布の説明図である。
【００２８】
最初に、図１により車両用空調装置の室内空調ユニット１０の概要を説明すると、室内空調ユニット部１０は車室内前部の計器盤（インストルメントパネル、図示せず）内側において車両左右方向の略中央部に配置される。なお、図１における上下前後の各矢印は車両搭載状態における方向を示す。図１の紙面垂直方向が車両左右（幅）方向となる。
【００２９】
室内空調ユニット部１０は車室内へ向かって流れる空気の通路を構成する樹脂製の空調ケース１１を備えている。この空調ケース１１は樹脂成形上の都合、内蔵部品の組付上の都合等から、実際には複数の分割ケース体として成形され、この複数の分割ケース体をねじやクリップ等の締結手段により一体に締結することにより空調ケース１１が構成される。
【００３０】
そして、本実施形態では、空調ケース１１のうち、車両前方側の上方部に送風機部１２を一体に配置した構成になっている。この送風機部１２は、遠心式の送風ファン１２ａをモータ（図示せず）により回転駆動するようになっている。なお、送風ファン１２ａの吸入口に内外気切替箱（図示せず）を接続し、この内外気切替箱からの導入空気（内気または外気）を送風ファン１２ａにより矢印ａのように上方から下方へ向かって送風するようになっている。
【００３１】
空調ケース１１内部のうち、車両前方側の下方部に冷却用熱交換器をなす蒸発器１３が配置されている。ここで、蒸発器１３の外形は矩形状の薄型形状であり、送風機部１２の送風空気の全量が矢印ｂのように通過する。蒸発器１３は、周知のように蒸気圧縮式冷凍サイクルの低圧側熱交換器であり、矢印ｂの通過空気から吸熱して低圧冷媒が蒸発することにより、この通過空気を冷却する。
【００３２】
空調ケース１１の底面部の最低部位に排水口１４が設けられ、この排水口１４から蒸発器１３で発生する凝縮水が車室外へ排水される。
【００３３】
そして、空調ケース１１内において、蒸発器１３の風下側にヒータコア１５が配置されている。より具体的には、蒸発器１３の車両後方側で、かつ、上方側部位にヒータコア１５が配置される。ここで、ヒータコア１５は、車両エンジン（図示せず）からの温水（エンジン冷却水）を熱源流体として空気を加熱する加熱用熱交換器である。
【００３４】
そして、ヒータコア１５の外形も矩形状の薄型形状であり、その矩形状の外形の一端部１５ａ、具体的には、上端部１５ａに回転軸１６を設定して、この回転軸１６によってヒータコア１５を空調ケース１１に対して回転可能に支持するようになっている。
【００３５】
図１の例では、回転軸１６を蒸発器１３の上端部の後方側に隣接配置している。蒸発器１３とヒータコア１５の間には最大冷房用の遮風壁１７が空調ケース１１に一体成形されている。この遮風壁１７は、蒸発器１３の上端部とヒータコア１５の上端部（回転軸１６側の端部）１５ａとの間の部位から鉛直方向に垂下する板状に形成される。
【００３６】
この板状の遮風壁１７は、車両左右方向（図１の紙面垂直方向）に対しては空調ケース１１内部の全域に形成され、遮風壁１７の左右両側部は空調ケース１１の左右の側壁部に結合される。
【００３７】
この板状の遮風壁１７はヒータコア１５の風上側の面（図１の左側面）の全体を覆うことができるようにヒータコア１５とほぼ同一面積に形成される。遮風壁１７の下端部およびヒータコア１５の下端部１５ｂと、空調ケース１１の底面部との間には所定の間隙が設定され、この所定の間隙によってヒータコア風上側の空気通路１８が形成される。すなわち、この空気通路１８はヒータコア１５の回転作動領域に対して風上側の領域に形成される。
【００３８】
ヒータコア１５は、最大冷房時には遮風壁１７の風下側の面（図１の右側面）に沿った破線位置ＭＣに回転操作される。この最大冷房位置ＭＣでは、遮風壁１７がヒータコア１５の風上側の面を全閉して、蒸発器１３風下側の空気がヒータコア１５のコア部を通過することを阻止する。
【００３９】
従って、蒸発器通過空気（冷風）の全量が矢印ｃのようにヒータコア１５をバイパスして流れるので、最大冷房性能を発揮できる。このため、最大冷房時にはヒータコア風上側の空気通路１８がヒータコアバイパス通路として作用する。
【００４０】
なお、ヒータコア１５のコア部は周知の構成であり、前述の図９（ｃ）を援用して説明すると、温水が流れる断面偏平状のチューブ１５ｃを多数本並列配置し、この多数本のチューブ１５ｃ相互間にコルゲートフィン１５ｄを配置し、このチューブ１５ｃとコルゲートフィン１５ｄとを一体に接合し、チューブ１５ｃとコルゲートフィン１５ｄとの空隙部を蒸発器１３風下側の空気が通過するようになっている。
【００４１】
チューブ１５ｃの長手方向の両端部はタンク１５ｅに連通し、このタンク１５ｅにより多数本のチューブ１５ｃに対する温水の分配、集合を行う。なお、図９（ｃ）では、チューブ１５ｃの一端側のタンク１５ｅのみを図示し、他端側のタンク１５ｅの図示は省略している。
【００４２】
ところで、本実施形態では、遮風壁１７の下端側に形成される風上側の空気通路１８に対してヒータコア１５の下端部（回転軸１６と反対側の端部）１５ｂが接近し、ヒータコア１５の上端部（回転軸１６側の端部）１５ａが風上側空気通路１８から遠ざかるようにヒータコア１５が配置されるので、ヒータコア１５の下端部１５ｂが風上側端部となり、ヒータコア１５の上端部１５ａが風下側端部となる。
【００４３】
空調ケース１１の内壁面においてヒータコア１５の風下側部位にシールリブ２０が形成される。このシールリブ２０は空調ケース１１の内壁面に一体成形され最大暖房時のケース側シール面を構成する。
【００４４】
このシールリブ２０は、具体的には空調ケース１１の内壁面から空調ケース１１の内側へ向かって額縁状に突き出すものである。シールリブ２０の額縁状の突出形状は図２（ａ）に示す通りであり、この額縁状の突出形状の中央部には中央開口部２０ａが開口している。
【００４５】
最大暖房時にはヒータコア１５が図１の１点鎖線位置ＭＨに回転操作され、ヒータコア１５の矩形状の周縁部がシールリブ２０の額縁状の突出形状に圧接する。これにより、最大暖房時には空気通路１８と中央開口部２０ａとが直接連通するヒータコアバイパス通路が遮断され、ヒータコア１５の下端部１５ｂと空調ケース１１の底面部内壁面との間から中央開口部２０ａへ直接向かうバイパス空気流れ（冷風流れ）ｃが遮断される。
【００４６】
このため、空調ケース１１内の送風空気の全量がヒータコア１５のコア部を通過して加熱されるので、最大暖房性能を発揮できる。ヒータコア１５のコア部を通過した温風ｄはシールリブ２０の中央開口部２０ａを通過して風下側へ流れる。
【００４７】
また、ヒータコア１５の図１実線位置は温度制御時の中間開度（中間回転位置）の一例であり、この中間開度の操作位置であると、蒸発器通過空気（冷風）のうち、ヒータコア下方側の流れは矢印ｃのようにヒータコア１５をバイパスして流れ、蒸発器通過空気（冷風）のうち、上方側の流れは矢印ｄ’のようにヒータコア１５を通過して流れ加熱されるので、温風ｄとなる。
【００４８】
従って、ヒータコア１５の回転位置を調整することにより、ヒータコア１５をバイパスする冷風と、ヒータコア１５を通過する温風との風量割合を調整して、車室内吹出空気温度を連続的に調整できる。
【００４９】
ヒータコア１５をバイパスする冷風と、ヒータコア１５を通過する温風は、いずれもシールリブ２０の中央開口部２０ａを通過して、シールリブ２０の上方領域２１にて混合され、所望温度の空調風となった後に、各吹出開口部２２、２３、２４に流入する。
【００５０】
次に、車室内各部へ空気を吹き出す吹出開口部２２、２３、２４の配置について説明する。この吹出開口部２２、２３、２４は、空調ケース１１のうち送風機部１２の車両後方側部位に配置されている。
【００５１】
デフロスタ開口部２２は空調ケース１１の上面部に配置され、図示しないデフロスタダクトを介して車両計器盤上面のデフロスタ吹出口に接続され、このデフロスタ吹出口から車両前面窓ガラスの内面に向けて空気を吹き出す。
【００５２】
フェイス開口部２３はデフロスタ開口部２２よりも車両後方側部位に配置される。このフェイス開口部２３は具体的には、図２（ａ）に示すように、車両左右方向の中央部に位置するセンターフェイス開口部２３１と、車両左右方向の左右両側に位置するサイドフェイス開口部２３２とに分割される。
【００５３】
センターフェイス開口部２３１にはセンターフェイスダクト２３１ａが接続され、このセンターフェイスダクト２３１ａの先端部吹出口（センターフェイス吹出口）は車両計器盤（インパネ）の左右方向中央部に配置され、ここからから乗員の顔部側へ空気を吹き出す。
【００５４】
サイドフェイス開口部２３２にはサイドフェイスダクト２３２ａが接続され、このサイドフェイスダクト２３２ａの先端部吹出口（サイドフェイス吹出口）は車両計器盤（インパネ）の左右方向両端部に配置され、ここからから乗員の顔部側あるいは車両側面窓ガラス側へ空気を吹き出す。
【００５５】
フット開口部２４は空調ケース１１の左右両側の側壁に配置され、図示しないフットダクトを介して乗員の足元側へ空気を吹き出すものである。なお、デフロスタ開口部２２、フェイス開口部２３およびフット開口部２４は図示しない吹出モードドアにより開閉されるようになっている。
【００５６】
次に、ヒータコア１５の風上側空気通路１８に形成される通路絞り部２５について説明する。通路絞り部２５は、図２（ａ）に示すように、ヒータコア１５の風上側空気通路１８のヒータコア回転軸方向（車両左右方向）の幅寸法Ｗ１をヒータコア１５の幅寸法Ｗ２よりも小さくして、幅寸法Ｗ１をシールリブ２０の中央開口部２０ａの幅寸法Ｗ３とほぼ同一あるいは若干小さめの大きさにしている。
【００５７】
図３（ａ）（ｂ）は通路絞り部２５の具体的形態を例示するもので、図３（ｂ）に示すように、通路絞り部２５は車両上下方向に対してはヒータコア１５下方の空気通路１８の形成部位に形成され、そして、車両左右方向に対しては図３（ａ）に示すように、通路絞り部２５は空調ケース１１の左右両側の側壁部から内側方向へ突き出すように形成される。
【００５８】
更に、この左右両側の通路絞り部２５は図３（ａ）に示すように、空気流れの上流側（遮風壁１７の下端側）から下流側（シールリブ２０の後方側面の下方側）へ向かって内側方向への突出量がテーパー状に徐々に増大するように形成してある。これにより、空気通路１８の通路幅寸法の絞り量がテーパー状に徐々に増大して、シールリブ２０の直前部位にて絞り量が最大となっている。すなわち、シールリブ２０の直前部位にて空気通路１８の通路幅寸法Ｗ１がシールリブ２０の中央開口部２０ａの幅寸法Ｗ３とほぼ同一あるいは若干小さめの大きさになっている。
【００５９】
なお、回転軸１６の軸方向の両端部は、図３（ａ）に示すように空調ケース１１の左右の側壁を貫通して空調ケース１１の外部へ突出し、回転軸１６の一端部（左側端部）は空調ケース１１の外部にて温水出入り口機構２６に連結される。
【００６０】
この温水出入り口機構２６は、回転軸１６側と連結される回転側の温水入口側配管（図示せず）および温水出口側配管（図示せず）と、空調ケース１１側に固定される固定側の温水入口側配管（図示せず）および温水出口側配管（図示せず）とを有し、回転側の配管が固定側の配管に対して回転可能となるようにこれらの配管を同軸上で嵌合した同軸２重配管機構にて構成される。ヒータコア１５には、温水出入り口機構２６および回転軸１６の温水通路部を介して温水が循環する。
【００６１】
また、回転軸１６の他端部（右側端部）は空調ケース１１の外部にて回転駆動機構２７に連結される。この回転駆動機構２７は、回転軸１６に連結されるリンク機構、ギヤ機構等の動力伝達機構と、この動力伝達機構を介して回転駆動力を回転軸１６に与えるサーボモータ等の駆動機構とにより構成される。なお、回転駆動機構２７を乗員の手動操作力により作動するマニュアル式の機構にしてもよい。
【００６２】
次に、本実施形態の作動を説明する。回転駆動機構２７によりヒータコア１５を回転軸１６を中心として回転操作し、ヒータコア１５が図１の破線位置ＭＣに回転変位すると、前述のように遮風壁１７がヒータコア１５の風上側の面を全閉して、蒸発器１３風下側の空気がヒータコア１５のコア部を通過することを阻止する。
【００６３】
従って、冷凍サイクルおよび送風機１６を運転すれば、蒸発器１３で冷却された冷風の全量が矢印ｃのようにヒータコア１５をバイパスして流れるので、最大冷房性能を発揮できる。
【００６４】
ところで、ヒータコア１５の最大冷房位置ＭＣでは、蒸発器通過後の冷風流れｃに対して、ヒータコア１５のコア面が直交状に配置されるので、冷風流れｃがヒータコア１５のコア面から十分離れた部位を流れる。
【００６５】
このため、ヒータコア１５の温水回路における温水弁を廃止して、エンジン作動時はヒータコア１５に温水が常時流れる構成にしても、ヒータコア１５からの放熱による冷風温度の上昇（最大冷房性能の低下）を僅少に抑えることができる。そのため、温水弁を持たないシステム構成にして、空調装置のコストダウンを図ることができる。
【００６６】
一方、ヒータコア１５を図１の１点鎖線位置ＭＨに回転操作すると、前述のように、ヒータコア１５の矩形状の周縁部がシールリブ２０の額縁状の突出形状に圧接する。これにより、空気通路１８とシールリブ２０の中央開口部２０ａとが直接連通する状態が遮断されるので、空気通路１８からシールリブ２０の中央開口部２０ａへ直接向かう空気流れ（冷風流れ）ｃが消滅する。
【００６７】
このため、蒸発器通過後の送風空気の全量がヒータコア１５のコア部に流入して加熱されるので、最大暖房性能を発揮できる。
【００６８】
一方、ヒータコア１５を図１の実線位置で示す中間開度位置（中間回転位置）に回転操作すると、前述のように、蒸発器通過空気（冷風）のうち、下方側の流れは矢印ｃのようにヒータコア１５をバイパスして流れ、蒸発器通過空気（冷風）のうち、上方側の流れは矢印ｄ’のようにヒータコア１５を通過して流れ加熱され、温風ｄとなる。
【００６９】
従って、ヒータコア１５の回転位置を調整することにより、ヒータコア１５をバイパスする冷風と、ヒータコア１５を通過する温風との風量割合を調整して、車室内吹出空気温度を連続的に調整できる。
【００７０】
このようなヒータコア１５の中間開度位置（中間回転位置）における冷風と温風の流れの挙動をさらに詳述すると、本実施形態では、ヒータコア１５の風上側空気通路１８に通路絞り部２５を形成して、風上側空気通路１８のヒータコア回転軸方向（車両左右方向）の幅寸法Ｗ１をシールリブ２０の中央開口部２０ａの幅寸法Ｗ３とほぼ同一あるいは若干小さめの大きさとなるように絞っている。
【００７１】
この通路絞り部２５により、風上側空気通路１８における冷風流れを図２（ａ）の矢印ｃのようにシールリブ２０の中央開口部２０ａに向かってガイドすることができる。そのため、風上側空気通路１８における冷風がシールリブ２０の左右両側の突出面に沿って流れることを抑制できる。
【００７２】
つまり、本実施形態によると、通路絞り部２５の形成によって、風上側空気通路１８における冷風がシールリブ２０の左右両側の突出面を避けて流れるように冷風を中央開口部２０ａに向かってガイドすることができる。この結果、シールリブ２０の左右両側の突出面に沿った冷風流れ（図２（ｂ）の破線矢印ｃ１参照）を消滅できるので、この冷風流れ（破線矢印ｃ１）に起因して、中央開口部２０ａからの吹出空気温度が中央部に比較して左右両側部が低くなることを解消できる。そのため、中央開口部２０ａからの吹出空気の温度分布を図２（ｄ）に示すように車両左右方向でほぼ均一にすることができる。なお、図２（ｄ）は、最上部の斜線部から最下部の白抜き部に向かって温度が順次低下し、かつ、各温度域が車両左右方向に均一に延びることを表している。
【００７３】
以上のごとく吹出空気の温度分布を車両左右方向でほぼ均一にできるので、図２（ａ）に示すように、センターフェイス開口部２３１およびサイドフェイス開口部２３２から同時に空気を吹き出すフェイスモードが設定されているときには、センターフェイス開口部２３１からの吹出空気温度とサイドフェイス開口部２３２からの吹出空気温度とをほぼ同等にすることができる。
【００７４】
ところで、本実施形態による通路絞り部２５はヒータコア１５の風上側空気通路１８に形成されるものであって、ヒータコア１５加熱前の冷風（低温空気）のガイド作用を果たすものであるから、空調ケース１１内の通風抵抗（圧損）の上昇抑制のために有利である。
【００７５】
もし、ヒータコア１５の風下側空気通路にガイド手段を形成すると、ヒータコア１５の加熱後の温風（高温空気）と冷風との混合を良好にする必要が生じるが、温風は温度上昇によって比体積が冷風よりも十分大きくなっているので、この比体積の大きい温風に冷風を良好に混合するためには、温風あるいは冷風の流れを大きく変更するガイド手段が必要となり、空調ケース１１内の通風抵抗（圧損）がどうしても大きくなってしまう。
【００７６】
しかるに、本実施形態によると、通路絞り部２５はヒータコア１５加熱前の比体積が小さい冷風だけをガイドすればよく、しかも、シールリブ２０の左右両側の突出面の幅寸法相当分の冷風をガイドするだけでよい。このため、通路絞り部２５の絞り量Ｗ０（図２（ａ）参照）は比較的少量ですみ、通路絞り部２５の形成による通風抵抗（圧損）の上昇を僅少量に抑制できる。
【００７７】
また、通路絞り部２５は図３（ａ）に示すように、空気流れの上流側から下流側へ向かって内側方向への突出量がテーパー状に徐々に増大するように形成してあるから、通路絞り部２５にて急曲がりを起こすことなくシールリブ２０の中央開口部２０ａへ向かって風上側空気通路１８の冷風をスムースにガイドできる。
【００７８】
（第２実施形態）
第１実施形態では、図３（ａ）に示すようにヒータコア１５の風上側空気通路１８の通路幅寸法の絞り量が、空気流れの上流側（遮風壁１７の下端側）から下流側（シールリブ２０側）へ向かってテーパー状に徐々に増大するように通路絞り部２５を形成しているが、第２実施形態では、図４（ａ）に示すように、ヒータコア１５の風上側空気通路１８の通路幅寸法の絞り量が、空気流れの上流側（遮風壁１７の下端側）から下流側（シールリブ２０の後方側）へ向かって一定量となるように通路絞り部２５を形成している。
【００７９】
すなわち、第２実施形態では、ヒータコア１５の風上側空気通路１８の通路幅寸法を、下流側（シールリブ２０側）だけでなく、上流側（遮風壁１７の下端側）でも一律に絞るようにしている。このようにしても、吹出空気温度分布の均一化の面では、第１実施形態と同様の作用効果を発揮できる。
【００８０】
なお、図５は本発明の比較例であり、ヒータコア１５の風上側空気通路１８における通路絞り部２５を第１実施形態とは逆の形態で形成している。すなわち、ヒータコア１５の風上側空気通路１８の通路幅寸法の絞り量が、空気流れの上流側（遮風壁１７の下端側）で最大となり、そして、下流側（シールリブ２０側）へ向かって絞り量がテーパー状に徐々に減少するように通路絞り部２５を形成している。
【００８１】
このような形態であると、通路絞り部２５を形成しても、シールリブ２０の左右両側の突出面に沿った冷風流れ（図２（ｂ）の破線矢印ｃ１参照）が発生するので、吹出空気温度分布の均一化効果を発揮できない。
【００８２】
従って、通路絞り部２５は、ヒータコア１５の風上側空気通路１８のうち、少なくとも、シールリブ２０に近接する部位に形成することが吹出空気温度分布の均一化のために重要である。
【００８３】
（第３実施形態）
第１、第２実施形態では、ヒータコア１５の回転軸１６側の端部１５ａを遮風壁１７の上方側に配置し、ヒータコア１５の回転軸１６と反対側の端部１５ｂを遮風壁１７の下方側に配置しているので、ヒータコア１５の回転軸１６側の端部１５ａが風下側に位置し、ヒータコア１５の回転軸１６と反対側の端部１５ｂが風上側に位置する配置構成となっているが、第３実施形態では、図６に示すように第１実施形態と反対の配置構成を採用している。
【００８４】
すなわち、第３実施形態では、ヒータコア１５の回転軸１６側の端部１５ａを遮風壁１７の下方側に配置し、ヒータコア１５の回転軸１６と反対側の端部１５ｂを遮風壁１７の上方側に配置している。このため、ヒータコア１５の回転軸１６側の端部１５ａが風上側に位置し、ヒータコア１５の回転軸１６と反対側の端部１５ｂが風下側に位置する配置構成となっている。
【００８５】
これに伴って、シールリブ２０はヒータコア１５に対して風上側に配置される。従って、第３実施形態では、通路絞り部２５をシールリブ２０の更に風上側に形成することになる。この通路絞り部２５の形成によって第３実施形態でもヒータコア回転軸方向（車両左右方向）における吹出空気温度分布を均一化できる効果を同様に発揮できる。
【００８６】
（第４実施形態）
第１、第２実施形態では、蒸発器１３とヒータコア１５との間に遮風壁１７を配置し、最大冷房時には遮風壁１７によりヒータコア１５への空気流入を阻止しているが、第４実施形態は図７に示すようにこの遮風壁１７を廃止するヒータコア配置構成に関する。
【００８７】
第４実施形態では、空調ケース１１のうち、最も車両後方側に位置して上下方向に延びる後方壁１１ａに沿ってヒータコア１５を配置している。具体的には、ヒータコア１５の回転軸１６（端部１５ａ）を後方壁１１ａの上方側に配置し、ヒータコア１５の回転軸１６と反対側の端部１５ｂが後方壁１１ａの下方側に位置するようにヒータコア１５を配置している。
【００８８】
従って、ヒータコア１５の回転軸１６側の端部１５ａが風下側に位置し、ヒータコア１５の回転軸１６と反対側の端部１５ｂが風上側に位置する配置構成となっている。
【００８９】
第４実施形態においても、ヒータコア１５の風上側空気通路１８に通路絞り部２５を形成することにより、ヒータコア回転軸方向（車両左右方向）における吹出空気温度分布を均一化できる効果を同様に発揮できる。
【００９０】
第４実施形態によると、遮風壁１７の廃止により空調ケース１１内の通風抵抗（圧損）を低減できる利点があるが、その反面、ヒータコア１５が破線位置ＭＣに回転操作される最大冷房時に、ヒータコア１５のコア面に沿って冷風が流れるので、ヒータコア１５に温水が常時流れたままであると、ヒータコア１５から冷風への放熱量が増えて、最大冷房性能を悪化させる。
【００９１】
このため、第４実施形態の配置構成の場合には、ヒータコア１５の温水回路に温水弁を設置して、最大冷房時には温水弁を閉弁してヒータコア１５への温水循環を遮断する必要が生じる。つまり、第４実施形態では温水弁が必須となり、その分だけコストアップを招く。
【００９２】
（他の実施形態）
なお、本発明は上記実施形態に限定されることなく、次のごとく種々変形可能である。
【００９３】
（１）第４実施形態では、空調ケース１１の後方壁１１ａの上方側にヒータコア１５の回転軸１６（端部１５ａ）を配置し、ヒータコア１５の回転軸１６と反対側の端部１５ｂが後方壁１１ａの下方側に位置するようにヒータコア１５を配置しているが、これとは逆に、ヒータコア１５の回転軸１６（端部１５ａ）を空調ケース１１の後方壁１１ａの下方側に配置し、ヒータコア１５の回転軸１６と反対側の端部１５ｂが後方壁１１ａの上方側に位置するようにヒータコア１５を配置してもよい。
【００９４】
この変形例では、シールリブ２０はヒータコア１５に対して風上側に配置されるので、通路絞り部２５をこのシールリブ２０の更に風上側に形成することになる。
【００９５】
（２）上記第１〜第４実施形態では、ヒータコア１５の風上側空気通路１８に形成した通路絞り部２５によって、空気流れをシールリブ２０の中央開口部２０ａに向かってガイドするガイド手段を構成しているが、通路絞り部２５の代わりに、空気流れのガイド形状部をヒータコア１５の風上側空気通路１８に形成してもよい。
【００９６】
ここで、ガイド形状部とは、風上側空気通路１８のケース壁面に部分的に形成され、空気流れを中央開口部２０ａに向かってガイドするものであり、通路絞り部２５のように通路幅（通路面積）自体を絞るものではない。
【００９７】
このように、本発明のガイド手段は、通路絞り部２５のように通路幅（通路面積）自体を絞るものだけに限定されず、ガイド形状部によって構成してもよい。
【００９８】
（３）上記第１実施形態では、第２図（ａ）に示すように、フェイス吹出を例示して説明しているので、センターフェイス吹出温度とサイドフェイス吹出温度との等温化（全吹出温度との等温化）を図っているが、例えば、シールリブ２０の中央開口部２０ａの中央領域にフット開口部を配置し、中央開口部２０ａの左右両側領域に左右のサイドフェイス開口部２３２を配置する場合に、通路絞り部２５の絞り量を調整して、フット吹出温度をサイドフェイス吹出温度よりも所定値だけ高くするようにしてもよい。つまり、通路絞り部２５の絞り量調整によって上下吹き出し温度差を調整するようにしてもよい。
【００９９】
（５）上記実施形態では、熱源流体として温水を用いるヒータコア１５への適用例について説明したが、例えば、エンジンオイル、油圧機械の作動オイル等のオイルを熱源流体として空気を加熱するヒータコア１５に本発明を適用してもよい。
【図面の簡単な説明】
【０１００】
【図１】本発明の第１実施形態を示す室内空調ユニットの概略縦断面図である。
【図２】（ａ）は図１に示す回転式加熱用熱交換器の中間回転位置における冷風と温風の流れ形態の概略説明図、（ｂ）は（ａ）のＡ−Ａ断面図、（ｃ）は（ａ）のＢ−Ｂ断面図、（ｄ）は（ｂ）のＣ−Ｃ断面位置での温度分布の概略説明図である。
【図３】（ａ）は図１に示す回転式加熱用熱交換器部分の平面断面図、（ｂ）は回転式加熱用熱交換器部分の側面断面図である。
【図４】（ａ）は第２実施形態による回転式加熱用熱交換器部分の平面断面図、（ｂ）は回転式加熱用熱交換器部分の側面断面図である。
【図５】（ａ）は比較例による回転式加熱用熱交換器部分の平面断面図、（ｂ）は比較例による回転式加熱用熱交換器部分の側面断面図である。
【図６】第３実施形態を示す室内空調ユニットの概略縦断面図である。
【図７】第４実施形態を示す室内空調ユニットの概略縦断面図である。
【図８】（ａ）は本発明者の試作検討した室内空調ユニットの回転式加熱用熱交換器の中間回転位置における冷風と温風の流れ形態の概略説明図、（ｂ）は（ａ）のＡ−Ａ断面図、（ｃ）は（ａ）のＢ−Ｂ断面図、（ｄ）は（ｂ）のＣ−Ｃ断面位置での温度分布の概略説明図である。
【図９】（ａ）は本発明者の試作検討した室内空調ユニットの概略縦断面図、（ｂ）は（ａ）のＤ矢視図、（ｃ）はＤ矢視による部分斜視図である。
【符号の説明】
【０１０１】
１１…空調ケース、１５…回転式ヒータコア（加熱用熱交換器）、１６…回転軸、
２０…シールリブ（ケース側シール面）、２０ａ…開口部、２５…通路絞り部（ガイド手段）。
【図１】
0004466532.tif 000002
【図２】
0004466532.tif 000003
【図３】
0004466532.tif 000004
【図４】
0004466532.tif 000005
【図５】
0004466532.tif 000006
【図６】
0004466532.tif 000007
【図７】
0004466532.tif 000008
【図８】
0004466532.tif 000009
【図９】
0004466532.tif 000010